(57)【要約】【課題】蓋部で開口部を閉じる作業が容易なワイヤーハーネス用プロテクターおよび該ワイヤーハーネス用プロテクターが装着されたワイヤーハーネスを提供する。【解決手段】ワイヤーハーネス用プロテクターは、本体部と蓋部とを備えている。本体部は、底壁部、第１側壁部および第２側壁部を有し、底壁部と第１側壁部と第２側壁部とによって囲まれる内部空間が形成されているとともに、第１側壁部と第２側壁部との間に底壁部と対向する開口部が形成されており、Ｕ字状の断面を有する。蓋部は、第１蓋体、第２蓋体および第１蓋体と第２蓋体とを連結する屈曲可能な屈曲部を有する。そして、第１側壁部および第２側壁部のうちの少なくとも１つの側壁部が、内部空間に面した内壁面から外壁面に向けて設けられた孔部を有し、蓋部が、孔部に嵌合する凸部を有し、該凸部を孔部に嵌合させることで開口部を閉じる。【選択図】図２
2016059156.tif 000002
【特許請求の範囲】
【請求項１】
底壁部、第１側壁部および第２側壁部を有し、前記底壁部と前記第１側壁部と前記第２側壁部とによって囲まれる内部空間が形成されているとともに、前記第１側壁部と前記第２側壁部との間に前記底壁部と対向する開口部が形成されている、Ｕ字状の断面を有する本体部と、
第１蓋体、第２蓋体および前記第１蓋体と前記第２蓋体とを連結する屈曲可能な屈曲部を有する蓋部と、
を備え、
前記第１側壁部および前記第２側壁部のうちの少なくとも１つの側壁部が、
前記内部空間に面した内壁面から外壁面に向けて設けられた１以上の孔部を有し、
前記蓋部が、
前記１以上の孔部に嵌合する１以上の凸部を有し、該１以上の凸部を前記１以上の孔部に嵌合させることで前記開口部を閉じるワイヤーハーネス用プロテクター。
【請求項２】
請求項１に記載のワイヤーハーネス用プロテクターであって、
前記蓋部が、
前記本体部とは別体であり、
前記１以上の孔部が、
前記第１側壁部に設けられた第１孔部と、前記第２側壁部に設けられた第２孔部とを含み、
前記１以上の凸部が、
前記第１孔部に嵌合する第１凸部と、前記第２孔部に嵌合する第２凸部とを含み、
前記第１凸部が前記第１孔部に嵌合され、且つ前記第２凸部が前記第２孔部に嵌合されることで、前記蓋部によって前記開口部が閉じられるワイヤーハーネス用プロテクター。
【請求項３】
請求項１に記載のワイヤーハーネス用プロテクターであって、
前記１以上の孔部が、
前記第１側壁部に設けられた孔部を含み、
前記蓋部が、
前記第２側壁部にヒンジ部を介して連結しているワイヤーハーネス用プロテクター。
【請求項４】
請求項１から請求項３の何れか１つの請求項に記載のワイヤーハーネス用プロテクターであって、
前記少なくとも１つの側壁部が、
前記１以上の孔部のうちの少なくとも１つの孔部の前記底壁部側の縁部に前記内部空間に向けて突起している突起部を有するワイヤーハーネス用プロテクター。
【請求項５】
請求項１から請求項４の何れか１つの請求項に記載のワイヤーハーネス用プロテクターであって、
前記１以上の孔部が、
前記底壁部からの距離が相互に異なる複数の孔部を含むワイヤーハーネス用プロテクター。
【請求項６】
請求項５に記載のワイヤーハーネス用プロテクターであって、
複数の前記蓋部を備え、
前記複数の蓋部が、
第１蓋部および第２蓋部を含んでおり、
前記第１蓋部が、
前記複数の孔部のうちの前記底壁部からの距離が第１距離である１つ目の孔部に嵌合する前記凸部を有し、
前記第２蓋部が、
前記複数の孔部のうちの前記底壁部からの距離が前記第１距離とは異なる第２距離である２つ目の孔部に嵌合する前記凸部を有するワイヤーハーネス用プロテクター。
【請求項７】
請求項６に記載のワイヤーハーネス用プロテクターであって、
前記複数の孔部が、
前記第１側壁部に設けられ、
前記１以上の孔部が、
前記第２側壁部に設けられた孔部を含み、
前記第１蓋部が、
前記第２側壁部に対してヒンジ部を介して連結しており、且つ前記複数の孔部のうちの１つ目の孔部に嵌合する前記凸部を有しており、
前記第２蓋部が、
前記本体部とは別体であり、且つ前記複数の孔部のうちの２つ目の孔部に嵌合する前記凸部および前記第２側壁部の前記孔部に嵌合する前記凸部を有しているワイヤーハーネス用プロテクター。
【請求項８】
請求項１から請求項７の何れか１つの請求項に記載のワイヤーハーネス用プロテクターであって、
前記蓋部が、
前記本体部に嵌合されている状態で、前記第１蓋体の前記屈曲部側において前記底壁部に向けて突設されている第１突設部と、前記第２蓋体の前記屈曲部側において前記底壁部に向けて突設されている第２突設部と、を有するワイヤーハーネス用プロテクター。
【請求項９】
請求項１から請求項８の何れか１つの請求項に記載のワイヤーハーネス用プロテクターと、
前記本体部の前記内部空間に配されている１以上のケーブルと、
を備え、
前記蓋部の前記１以上の凸部が、前記１以上の孔部に嵌合されていることで、前記開口部が閉じられているワイヤーハーネス。
【発明の詳細な説明】
【技術分野】
【０００１】
本発明は、車体または機器等に配置されるワイヤーハーネスを囲むワイヤーハーネス用プロテクター、ならび該ワイヤーハーネス用プロテクターが装着されたワイヤーハーネスに関する。
【背景技術】
【０００２】
ワイヤーハーネスが車体または機器等に配置される際に、該ワイヤーハーネスの周囲を囲むプロテクター（ワイヤーハーネス用プロテクターとも言う）が用いられる場合がある。このワイヤーハーネス用プロテクター（以下、適宜「プロテクター」と略称する）は、例えば、ワイヤーハーネスが配置される溝部を有する本体部と、該本体部の上面の開口部を閉じる蓋部とを有する。
【０００３】
そして、本体部の一方の側壁部の内面に凸部が設けられ、該本体部の他方の側壁部の上端に薄肉ヒンジ部を介して蓋部が連結され、該蓋部の先端部の外面に凹部を有する差し込み部が設けられたプロテクターが提案されている（例えば、特許文献１等）。該プロテクターでは、蓋部で本体部の開口部が閉じられる際に、本体部の一方の側壁部と蓋部の差し込み部とが相互に当接されつつ撓まされながら、一方の側壁部に対して差し込み部が摺動されて凸部と凹部とが嵌合されることで、本体部に蓋部がロックされる。
【先行技術文献】
【特許文献】
【０００４】
【特許文献１】特開２０１２−１５２０３０号公報
【発明の概要】
【発明が解決しようとする課題】
【０００５】
しかしながら、上記特許文献１で提案される構造を有するプロテクターでは、大型のものになれば、蓋部で本体部の開口部を閉じる際に、本体部の一方の側壁部を撓ませるために大きな力が必要となる。そして、本体部の強度が高めに設計されることが多い。このため、蓋部で本体部の開口部を閉じるために非常に大きな力が必要となり、作業の困難性および作業性の低下を招く。
【０００６】
本発明は、上記課題に鑑みてなされたものであり、蓋部で開口部を閉じる作業が容易なワイヤーハーネス用プロテクターおよび該ワイヤーハーネス用プロテクターが装着されたワイヤーハーネスを提供することを目的とする。
【課題を解決するための手段】
【０００７】
上記課題を解決するために、第１の態様に係るワイヤーハーネス用プロテクターは、底壁部、第１側壁部および第２側壁部を有し、前記底壁部と前記第１側壁部と前記第２側壁部とによって囲まれる内部空間が形成されているとともに、前記第１側壁部と前記第２側壁部との間に前記底壁部と対向する開口部が形成されている、Ｕ字状の断面を有する本体部と、第１蓋体、第２蓋体および前記第１蓋体と前記第２蓋体とを連結する屈曲可能な屈曲部を有する蓋部と、を備え、前記第１側壁部および前記第２側壁部のうちの少なくとも１つの側壁部が、前記内部空間に面した内壁面から外壁面に向けて設けられた１以上の孔部を有し、前記蓋部が、前記１以上の孔部に嵌合する１以上の凸部を有し、該１以上の凸部を前記１以上の孔部に嵌合させることで前記開口部を閉じる。
【０００８】
第２の態様に係るワイヤーハーネス用プロテクターは、第１の態様に係るワイヤーハーネス用プロテクターであって、前記蓋部が、前記本体部とは別体であり、前記１以上の孔部が、前記第１側壁部に設けられた第１孔部と、前記第２側壁部に設けられた第２孔部とを含み、前記１以上の凸部が、前記第１孔部に嵌合する第１凸部と、前記第２孔部に嵌合する第２凸部とを含み、前記第１凸部が前記第１孔部に嵌合され、且つ前記第２凸部が前記第２孔部に嵌合されることで、前記蓋部によって前記開口部が閉じられる。
【０００９】
第３の態様に係るワイヤーハーネス用プロテクターは、第１の態様に係るワイヤーハーネス用プロテクターであって、前記１以上の孔部が、前記第１側壁部に設けられた孔部を含み、前記蓋部が、前記第２側壁部にヒンジ部を介して連結している。
【００１０】
第４の態様に係るワイヤーハーネス用プロテクターは、第１から第３の何れか１つの態様に係るワイヤーハーネス用プロテクターであって、前記少なくとも１つの側壁部が、前記１以上の孔部のうちの少なくとも１つの孔部の前記底壁部側の縁部に前記内部空間に向けて突起している突起部を有する。
【００１１】
第５の態様に係るワイヤーハーネス用プロテクターは、第１から第４の何れか１つの態様に係るワイヤーハーネス用プロテクターであって、前記１以上の孔部が、前記底壁部からの距離が相互に異なる複数の孔部を含む。
【００１２】
第６の態様に係るワイヤーハーネス用プロテクターは、第５の態様に係るワイヤーハーネス用プロテクターであって、複数の前記蓋部を備え、前記複数の蓋部が、第１蓋部および第２蓋部を含んでおり、前記第１蓋部が、前記複数の孔部のうちの前記底壁部からの距離が第１距離である１つ目の孔部に嵌合する凸部を有し、前記第２蓋部が、前記複数の孔部のうちの前記底壁部からの距離が前記第１距離とは異なる第２距離である２つ目の孔部に嵌合する凸部を有する。
【００１３】
第７の態様に係るワイヤーハーネス用プロテクターは、第６の態様に係るワイヤーハーネス用プロテクターであって、前記複数の孔部が、前記第１側壁部に設けられ、前記１以上の孔部が、前記第２側壁部に設けられた孔部を含み、前記第１蓋部が、前記第２側壁部に対してヒンジ部を介して連結しており、且つ前記複数の孔部のうちの１つ目の孔部に嵌合する前記凸部を有しており、前記第２蓋部が、前記本体部とは別体であり、且つ前記複数の孔部のうちの２つ目の孔部に嵌合する前記凸部および前記第２側壁部の前記孔部に嵌合する前記凸部を有している。
【００１４】
第８の態様に係るワイヤーハーネス用プロテクターは、第１から第７の何れか１つの態様に係るワイヤーハーネス用プロテクターであって、前記蓋部が、前記本体部に嵌合されている状態で、前記第１蓋体の前記屈曲部側において前記底壁部に向けて突設されている第１突設部と、前記第２蓋体の前記屈曲部側において前記底壁部に向けて突設されている第２突設部と、を有する。
【００１５】
第９の態様に係るワイヤーハーネスは、第１から第８の何れか１つの態様に係るワイヤーハーネス用プロテクターと、前記本体部の前記内部空間に配されている１以上のケーブルと、を備え、前記蓋部の前記１以上の凸部が、前記１以上の孔部に嵌合されていることで、前記開口部が閉じられている。
【発明の効果】
【００１６】
第１から第８の何れの態様に係るワイヤーハーネス用プロテクターによっても、蓋部によって本体部の開口部が閉じられる際に要する力が低減され、蓋部で開口部を閉じる作業が容易となり得る。
【００１７】
第２の態様に係るワイヤーハーネス用プロテクターによれば、蓋部が本体部とは別体である場合に、蓋部で開口部を閉じる作業が容易となり得る。
【００１８】
第３の態様に係るワイヤーハーネス用プロテクターによれば、蓋部と本体部とがヒンジ部で連結されている場合に、蓋部で開口部を閉じる作業が容易となり得る。
【００１９】
第４の態様に係るワイヤーハーネス用プロテクターによれば、本体部の孔部と蓋部の凸部との位置合わせが容易となるため、作業性が向上し得る。
【００２０】
第５から第７の何れの態様に係るワイヤーハーネス用プロテクターによっても、例えば、１つの本体部の異なる位置に蓋部を装着すること、および１つの本体部に複数の蓋部を装着することが可能となる。そして、例えば、ワイヤーハーネスのケーブルの径および本数等と言った車種等によって異なるワイヤーハーネスの構成に適用可能である。
【００２１】
第６および第７の何れの態様に係るワイヤーハーネス用プロテクターによっても、例えば、１つの本体部に複数の蓋部を装着することで内部空間を複数の空間に区切ることができるため、プロテクター内における配線経路等の分割が可能である。
【００２２】
第８の態様に係るワイヤーハーネス用プロテクターによれば、蓋部の屈曲が２つの突設部どうしの当接によって規制されるため、本体部から蓋部が外れ難い。
【００２３】
第９の態様に係るワイヤーハーネスによれば、蓋部で開口部を閉じる作業が容易であるため、プロテクターが装着されたワイヤーハーネスの製造が容易となり得る。
【図面の簡単な説明】
【００２４】
【図１】一実施形態に係るプロテクターの外観を模式的に示す斜視図である。
【図２】一実施形態に係るプロテクターの外観を模式的に示す正面図である。
【図３】一実施形態に係る本体部の外観を模式的に示す正面図である。
【図４】一実施形態に係る本体部の外観を模式的に示す平面図である。
【図５】一実施形態に係る本体部の外観を模式的に示す側面図である。
【図６】一実施形態に係る蓋部の外観を模式的に示す正面図である。
【図７】一実施形態に係る蓋部の外観を模式的に示す平面図である。
【図８】一実施形態に係る蓋部の外観を模式的に示す側面図である。
【図９】本体部に蓋部が装着される様子を模式的に示す図である。
【図１０】本体部に蓋部が装着される様子を模式的に示す図である。
【図１１】本体部に蓋部が装着される様子を模式的に示す図である。
【図１２】第１変形例に係るプロテクターの外観を模式的に示す正面図である。
【図１３】第１変形例に係る本体部の外観を模式的に示す正面図である。
【図１４】第１変形例に係る本体部に蓋部が装着される様子を模式的に示す図である。
【図１５】第２変形例に係るプロテクターの外観を模式的に示す正面図である。
【図１６】第２変形例に係る本体部の外観を模式的に示す正面図である。
【図１７】第２変形例に係るプロテクターの使用態様を模式的に示す正面図である。
【図１８】第２変形例に係るプロテクターの使用態様を模式的に示す正面図である。
【図１９】第２変形例に係るプロテクターの使用態様を模式的に示す正面図である。
【図２０】第３変形例に係る蓋部の外観を模式的に示す正面図である。
【図２１】第３変形例に係る蓋部の外観を模式的に示す平面図である。
【図２２】第３変形例に係る蓋部の機能を説明するための図である。
【図２３】第４変形例に係るプロテクターの外観を模式的に示す正面図である。
【図２４】第４変形例に係るプロテクターの外観を模式的に示す正面図である。
【図２５】第５変形例に係るプロテクターの外観を模式的に示す正面図である。
【発明を実施するための形態】
【００２５】
以下、一実施形態および各変形例に係るワイヤーハーネス用プロテクター１および当該ワイヤーハーネス用プロテクター１が装着されたワイヤーハーネス１００について、図面に基づいて説明する。図面においては同様な構成および機能を有する部分については同じ符号が付されており、下記説明では重複説明が省略される。図面は模式的に示されたものであり、各図における各種構造のサイズおよび位置関係等は適宜変更され得る。なお、図１から図２５には、ワイヤーハーネス用プロテクター１が延在する方向（延在方向とも言う）を＋Ｙ方向とする右手系のＸＹＺ座標系が付されている。
【００２６】
＜(１)一実施形態＞
一実施形態に係るワイヤーハーネス用プロテクター（以下、単に「プロテクター」と略称する）１は、車体または機器等にワイヤーハーネスを配置する際に、該ワイヤーハーネスに対してその周囲を囲むように装着される。
【００２７】
図１および図２は、プロテクター１の外観を模式的に示す図である。図１は、プロテクター１の外観を模式的に示す斜視図であり、図２は、プロテクター１の外観を模式的に示す正面図である。図１および図２で示されるように、プロテクター１は、本体部２と蓋部３とを備えている。
【００２８】
図３から図５は、本体部２の外観を模式的に示す図である。図３は、本体部２の外観を模式的に示す正面図であり、図４は、本体部２の外観を模式的に示す平面図であり、図５は、本体部２の外観を模式的に示す側面図である。また、図６から図８は、蓋部３の外観を模式的に示す図である。ここで、図６は、蓋部３の外観を模式的に示す正面図であり、図７は、蓋部３の外観を模式的に示す平面図であり、図８は、蓋部３の外観を模式的に示す側面図である。
【００２９】
本体部２は、底壁部２０、第１側壁部２１および第２側壁部２２を有しており、Ｕ字状の断面を有している。本体部２では、底壁部２０と第１側壁部２１と第２側壁部２２とによって囲まれる内部空間２ｓが形成され、第１側壁部２１と第２側壁部２２との間に底壁部２０と対向する開口部２ｏが形成されている。
【００３０】
例えば、本体部２は、合成樹脂製の一体成型品等によって構成され、底壁部２０、第１側壁部２１および第２側壁部２２が、それぞれ＋Ｙ方向に延在する平板状の部分を構成している。より具体的には、例えば、底壁部２０が、ＸＹ平面に略平行である平板状の部分であり、第１側壁部２１および第２側壁部２２が、ＹＺ平面に略平行である平板状の部分である。そして、例えば、第１側壁部２１が、底壁部２０の＋Ｘ方向の端部から＋Ｚ方向に延在し、第２側壁部２２が、底壁部２０の−Ｘ方向の端部から＋Ｚ方向に延在している。このため、内部空間２ｓは、延在方向としてのＹ方向の両端部が外部空間と連通する溝状の空間を構成しており、例えば、第１側壁部２１の＋Ｚ側の端部である上端部と第２側壁部２２の＋Ｚ側の端部である上端部との間に開口部２ｏが形成されている。
【００３１】
第１側壁部２１は、内部空間２ｓに面した内壁部から外壁面に向けて設けられた第１孔部２１ｈを有している。本実施形態では、第１孔部２１ｈは、内壁面から外壁面まで貫通している貫通孔である。ここで、貫通孔としての第１孔部２１ｈは、第１側壁部２１をＸ方向に貫通している。なお、第１孔部２１ｈは、例えば、内壁面から外壁面の途中までに至る有底の孔部であっても良い。
【００３２】
第２側壁部２２は、内部空間２ｓに面した内壁部から外壁面に向けて設けられた第２孔部２２ｈを有している。本実施形態では、第２孔部２２ｈは、内壁面から外壁面まで貫通している貫通孔である。ここで、貫通孔としての第２孔部２２ｈは、第２側壁部２２を−Ｘ方向に貫通している。なお、第２孔部２２ｈは、例えば、内壁面から外壁面の途中までに至る有底の孔部であっても良い。
【００３３】
本実施形態では、第１および第２孔部２１ｈ，２２ｈのＹＺ断面の形状は、プロテクター１の延在方向が長手方向となっている矩形状である。なお、第１および第２孔部２１ｈ，２２ｈのＹＺ断面は、プロテクター１の延在方向以外の方向が長手方向であっても良いし、矩形以外の楕円形等のその他の形状を有していても良い。但し、第１および第２孔部２１ｈ，２２ｈのＹＺ断面の形状については、プロテクター１の延在方向の長さの方が、該延在方向に直交する方向の長さよりも長ければ、蓋部３が安定して固定され得る。
【００３４】
蓋部３は、本体部２の開口部２ｏを閉じる部分であり、第１蓋体３１、第２蓋体３２および屈曲部３３を有している。本実施形態では、蓋部３は、本体部２とは別体である。また、屈曲部３３は、第１蓋体３１と第２蓋体３２とを連結し、屈曲可能である。このため、屈曲部３３の屈曲によって、第１蓋体３１と第２蓋体３２との相対的な角度関係が変更され得る。つまり、蓋部３は、屈曲部３３の屈曲によって、屈曲可能な構成、すなわち折り畳み可能な構成を有している。なお、本実施形態では、屈曲部３３が屈曲していない状態では、第１蓋体３１と第２蓋体３２とが１つの板状の部材を形成するように一平面上に沿って配される。また、蓋部３は、本体部２の第１孔部２１ｈに嵌合する第１凸部３１ｔおよび第２孔部２２ｈに嵌合する第２凸部３２ｔを有している。ここでは、第１凸部３１ｔが第１孔部２１ｈに嵌合され、第２凸部３２ｔが第２孔部２２ｈに嵌合されることで、蓋部３によって本体部２の開口部２ｏが閉じられる。
【００３５】
例えば、第１蓋体３１および第２蓋体３２は、それぞれ主として＋Ｙ方向に延在する平板状の部分を有する。屈曲部３３は、例えば、第１蓋体３１および第２蓋体３２よりも厚さが薄く、比較的小さな力で屈曲し得る。屈曲部３３としては、樹脂または金属等で構成される弾性部材、あるいは蝶番等の機械的な構造によって屈曲するヒンジ部等が採用され得る。なお、第１および第２蓋体３１，３２ならびに屈曲部３３が一体的な構成を有している場合は、該一体的な構成は、樹脂の一体成型、あるいは樹脂と金属とを用いたインサート成型等で実現され得る。ここで、例えば、屈曲部３３として、弾性部材が採用されれば、蓋部３が屈曲部３３で屈曲した状態から、屈曲していない状態に容易に戻り得る。これにより、蓋部３によって本体部２の開口部２ｏを閉じる作業が容易となり得る。
【００３６】
第１凸部３１ｔは、例えば、第１蓋体３１の屈曲部３３とは反対側の端部から垂下する第１垂下部３１ｖを介して第１蓋体３１に対して設けられている。具体的には、例えば、第１凸部３１ｔは、第１垂下部３１ｖの第１蓋体３１とは逆側である下端部付近から、第１蓋体３１が屈曲部３３から延在する方向に沿って突起している。また、ここでは、第１蓋体３１のうちの延在方向（ここではＹ方向）における略中央に、１つの第１垂下部３１ｖおよび１つの第１凸部３１ｔが連結されるように配されている。但し、第１蓋体３１に設けられる第１凸部３１ｔの数は１つに限られず、例えば、２以上の第１凸部３１ｔが設けられても良い。この場合、第１側壁部２１には、例えば、２以上の第１凸部３１ｔがそれぞれ嵌合する２以上の第１孔部２１ｈが設けられれば良い。
【００３７】
第２凸部３２ｔは、例えば、第２蓋体３２の屈曲部３３とは反対側の端部から垂下する第２垂下部３２ｖを介して第２蓋体３２に対して設けられている。具体的には、例えば、第２凸部３２ｔは、第２垂下部３２ｖの第２蓋体３２とは逆側である下端部付近から、第２蓋体３２が屈曲部３３から延在する方向に沿って突起している。また、ここでは、第２蓋体３２のうちの延在方向（ここではＹ方向）における略中央に、１つの第２垂下部３２ｖおよび１つの第２凸部３２ｔが連結されるように配されている。但し、第２蓋体３２に設けられる第２凸部３２ｔの数は１つに限られず、例えば、２以上の第２凸部３２ｔが設けられても良い。この場合、第２側壁部２２には、例えば、２以上の第２凸部３２ｔがそれぞれ嵌合する２以上の第２孔部２２ｈが設けられれば良い。
【００３８】
図９から図１１は、本体部２に蓋部３が装着される様子の一例を模式的に示す図である。
【００３９】
まず、図９で示されるように、例えば、本体部２の内部空間２ｓに１以上のケーブル４が配される。
【００４０】
次に、例えば、図１０で示されるように、蓋部３の屈曲部３３が曲げられて、第１凸部３１ｔと第２凸部３２ｔとが近づけられた状態で、第１凸部３１ｔの第１孔部２１ｈへの位置合わせ、および第２凸部３２ｔの第２孔部２２ｈへの位置合わせが行われる。このとき、＋Ｙ方向に蓋部３を平面視した場合に、屈曲部３３を中心として、第１凸部３１ｔが時計回りに回転し、第２凸部３２ｔが反時計回りに回転するように、蓋部３が屈曲する。なお、位置合わせは、例えば、主に目視によって実現され得る。
【００４１】
そして、図１１で示されるように、屈曲部３３が屈曲された状態（屈曲状態とも言う）が解消されながら、第１凸部３１ｔが第１孔部２１ｈに嵌合されるとともに、第２凸部３２ｔが第２孔部２２ｈに嵌合されることで、蓋部３によって開口部２ｏが閉じられる。
【００４２】
このような構成によれば、第１および第２側壁部２１，２２を撓ませることなく、第１および第２凸部３１ｔ，３２ｔが第１および第２孔部２１ｈ，２２ｈに挿入され得る。このため、蓋部３によって本体部２の開口部２ｏが閉じられる際に要する力が低減され、蓋部３で開口部２ｏを閉じる作業が容易となり得る。
【００４３】
ここで、第１および第２凸部３１ｔ，３２ｔが第１および第２孔部２１ｈ，２２ｈに嵌合する際に生じる摩擦力が低減されれば、蓋部３で開口部２ｏを閉じる作業が更に容易となり得る。なお、第１および第２凸部３１ｔ，３２ｔが、一旦第１および第２孔部２１ｈ，２２ｈに嵌合されれば、第１および第２凸部３１ｔ，３２ｔが、第１および第２孔部２１ｈ，２２ｈから外れ難くなる、所謂「嵌め殺し」の構成が採用されても良い。
【００４４】
以上のようにして、プロテクター１と本体部２の内部空間２ｓに配された１以上のケーブル４とを備え、蓋部３の第１および第２凸部３１ｔ，３２ｔが、第１および第２孔部２１ｈ，２２ｈに嵌合されて、開口部２ｏが閉じられたワイヤーハーネス１００が形成される。ここでは、蓋部３で開口部２ｏを閉じる作業が容易であるため、プロテクター１が装着されたワイヤーハーネス１００の製造が容易となり得る。
【００４５】
ところで、上記特許文献１のプロテクターでは、例えば、蓋体の差し込み部を側壁部の開口部側に挿入し易くするために、側壁部の上端部の内側に曲面部が設けられている。このため、例えば、蓋体で本体部の開口部が閉じられた後に、納品時および車体等への取り付け時に、他の物体が、本体部と蓋体との間に挿入されて、本体部から蓋体が外れてしまう虞がある。これに対し、本実施形態に係るプロテクター１では、蓋部３が屈曲可能な構成を有し、本体部２の内部空間２ｓ内に蓋部３の第１および第２凸部３１ｔ，３２ｔを容易に挿入することが可能である。このため、本体部２の第１側壁部２１および第２側壁部２２の各上端部の開口部側に曲面部を設ける必要がない。そして、例えば、開口部２ｏが蓋部３で閉じられた状態において、第１蓋体３１と第１側壁部２１とを極力密着させることが可能であり、第２蓋体３２と第２側壁部２２とを極力密着させることが可能である。その結果、本体部２から蓋部３が外れ難い。
【００４６】
また、上記特許文献１のプロテクターでは、例えば、側壁部の内側に、蓋体をロックするためのロック凸部が設けられている。このため、本体部の内部空間の減少によって、本体部の内部空間に収容可能なケーブル等の数が減ってしまう。これに対して、本実施形態に係るプロテクター１では、第１および第２側壁部２１，２２に、蓋部３をロックするための出っ張り部分が設けられることなく、第１および第２孔部２１ｈ，２２ｈが設けられている。このため、本体部２の内部空間２ｓが減少され難く、本体部２の内部空間２ｓに収納可能なケーブル４の数が減少することなく維持され得る。
【００４７】
また、プロテクター１では、嵌合する第１および第２孔部２１ｈ，２２ｈと、第１および第２凸部３１ｔ，３２ｔの構成がシンプルである。このため、プロテクター１の設計および製造が容易である。
【００４８】
＜(２)変形例＞
＜(２−１)第１変形例＞
上記一実施形態では、第１凸部３１ｔの第１孔部２１ｈへの位置合わせ、および第２凸部３２ｔの第２孔部２２ｈへの位置合わせが、主に目視によって行われたが、これに限られない。例えば、これらの位置合わせを補助するための少なくとも１つの突起部が第１および第２側壁部２１，２２のうちの少なくとも１つの側壁部の少なくとも１つの孔部に対して設けられても良い。このような構成を有する一構成例を挙げて説明する。
【００４９】
図１２は、第１変形例に係るプロテクター１Ａの外観を模式的に示す正面図である。図１３は、第１変形例に係る本体部２Ａの外観を模式的に示す正面図である。
【００５０】
プロテクター１Ａは、上記一実施形態に係るプロテクター１がベースとされて、本体部２が本体部２Ａに変更されたものである。本体部２Ａは、上記一実施形態に係る本体部２がベースとされて、底壁部２０、第１側壁部２１および第２側壁部２２が、底壁部２０Ａ、第１側壁部２１Ａおよび第２側壁部２２Ａにそれぞれ変更されたものである。第１側壁部２１Ａは、上記一実施形態に係る第１側壁部２１に第１突起部２１ｒが追加されたものである。第２側壁部２２Ａは、上記一実施形態に係る第２側壁部２２に第２突起部２２ｒが追加されたものである。底壁部２０Ａは、上記一実施形態に係る底壁部２０に、第１突起部２１ｒおよび第２突起部２２ｒの追加に伴って、本体部２Ａが樹脂等で一体成型される際に必要となる孔部２０ｈ１，２０ｈ２が追加されたものである。
【００５１】
具体的には、図１２および図１３で示されるように、第１側壁部２１Ａが、第１孔部２１ｈのうちの底壁部２０Ａ側の縁部２１ｈｅに内部空間２ｓに向けて突起している第１突起部２１ｒを有している。また、第２側壁部２２が、第２孔部２２ｈのうちの底壁部２０Ａ側の縁部２２ｈｅに内部空間２ｓに向けて突起している第２突起部２２ｒを有している。
【００５２】
図１４は、本体部２Ａに蓋部３が装着される様子を模式的に示す図である。図１４で示されるように、蓋部３が屈曲部３３で曲げられて、第１凸部３１ｔと第２凸部３２ｔとが近づけられた状態で、第１凸部３１ｔを第１突起部２１ｒの＋Ｚ方向を向いた上面に当接させ、第２凸部３２ｔを第２突起部２２ｒの＋Ｚ方向を向いた上面に当接させる。これにより、第１凸部３１ｔの第１孔部２１ｈへの位置合わせ、および第２凸部３２ｔの第２孔部２２ｈへの位置合わせが行われる。その結果、第１および第２孔部２１ｈ，２２ｈと第１および第２凸部３１ｔ，３２ｔとの位置合わせが容易となり、作業性が向上し得る。
【００５３】
ここで、例えば、第１突起部２１ｒの＋Ｚ方向を向いた上面と、第１孔部２１ｈの底壁部２０Ａ側の＋Ｚ方向を向いた内面とが、ほぼ１つの面を成すように構成されていれば、第１凸部３１ｔの第１孔部２１ｈへの嵌合が容易となる。また、例えば、第２突起部２２ｒの＋Ｚ方向を向いた上面と、第２孔部２２ｈの底壁部２０Ａ側の＋Ｚ方向を向いた内面とが、ほぼ１つの面を成すように構成されていれば、第２凸部３２ｔの第２孔部２２ｈへの嵌合が容易となる。つまり、作業性が更に向上し得る。また、ここでは、第１および第２突起部２１ｒ，２２ｒが設けられる例が示されたが、これに限られず、例えば、第１および第２突起部２１ｒ，２２ｒのうちの少なくとも一方が設けられていれば、作業性が向上し得る。
【００５４】
＜(２−２)第２変形例＞
上記一実施形態では、本体部２の１箇所に１つの蓋部３が装着可能であったが、これに限られない。例えば、本体部２の構成が、底壁部２０からの距離が相互に異なる位置に１つあるいは２以上の蓋部３が装着可能な構成に変更されても良い。このような構成を有する一構成例を挙げて説明する。
【００５５】
図１５は、第２変形例に係るプロテクター１Ｂの外観を模式的に示す正面図である。図１６は、第２変形例に係る本体部２Ｂの外観を模式的に示す正面図である。
【００５６】
プロテクター１Ｂは、上記一実施形態に係るプロテクター１がベースとされて、本体部２が本体部２Ｂに変更され、蓋部３が複数の蓋部としての２つの第１および第２蓋部３Ｂａ，３Ｂｂに変更されたものである。本体部２Ｂは、上記一実施形態に係る本体部２がベースとされて、第１側壁部２１および第２側壁部２２が、第１側壁部２１Ｂおよび第２側壁部２２Ｂにそれぞれ変更されたものである。第１側壁部２１Ｂは、上記一実施形態に係る第１側壁部２１がベースとされて、第１孔部２１ｈが２つの第１孔部２１ｈａ，２１ｈｂに変更されたものである。また、第２側壁部２２Ｂは、上記一実施形態に係る第２側壁部２２がベースとされて、第２孔部２２ｈが２つの第２孔部２２ｈａ，２２ｈｂに変更されたものである。また、第１および第２蓋部３Ｂａ，３Ｂｂは、それぞれ上記一実施形態に係る蓋部３と同様な構成を有する。
【００５７】
具体的には、図１５および図１６で示されるように、第１側壁部２１Ｂが、底壁部２０からの距離が相互に異なり、且つ内壁面から外壁面に向けてそれぞれ設けられた複数の第１孔部２１ｈａ，２１ｈｂを有している。また、第２側壁部２２Ｂが、底壁部２０からの距離が相互に異なり、且つ内壁面から外壁面に向けてそれぞれ設けられた複数の第２孔部２２ｈａ，２２ｈｂを有している。つまり、本体部２Ｂに、複数の第１孔部２１ｈａ，２１ｈｂ，２２ｈａ，２２ｈｂが設けられている。
【００５８】
ここでは、例えば、底壁部２０から第１孔部２１ｈａまでの距離と、底壁部２０から第２孔部２２ｈａまでの距離とが、同一の距離（第１距離とも言う）に設定される。また、例えば、底壁部２０から第１孔部２１ｈｂまでの距離と、底壁部２０から第２孔部２２ｈｂまでの距離とが、同一の距離（第２距離とも言う）に設定される。ここでは、第２距離は、第１距離とは異なり、該第１距離よりも短い。なお、２つの第１孔部２１ｈａ，２１ｈｂについては、例えば、＋Ｚ側から順に、１つ目の第１孔部２１ｈａおよび２つ目の第２孔部２１ｈｂとも称される。また、２つの第２孔部２２ｈａ，２２ｈｂについては、例えば、＋Ｚ側から順に、１つ目の第２孔部２２ｈａおよび２つ目の第２孔部２２ｈｂとも称される。
【００５９】
第１蓋部３Ｂａは、第１孔部２１ｈａ，２１ｈｂのうちの底壁部２０からの距離が第１距離である１つ目の第１孔部２１ｈａに嵌合する第１凸部３１ｔａと、第２孔部２２ｈａ，２２ｈｂのうちの底壁部２０からの距離が第１距離である１つ目の第２孔部２２ｈａに嵌合する第２凸部３２ｔａを有している。また、第２蓋部３Ｂｂは、第１孔部２１ｈａ，２１ｈｂのうちの底壁部２０からの距離が第２距離である２つ目の第１孔部２１ｈｂに嵌合する第１凸部３１ｔｂと、第２孔部２２ｈａ，２２ｈｂのうちの底壁部２０からの距離が第２距離である２つ目の第２孔部２２ｈｂに嵌合する第２凸部３２ｔｂを有している。
【００６０】
このような構成を有するプロテクター１Ｂでは、例えば、本体部２Ｂの異なる位置に第１または第２蓋部３Ｂａ，３Ｂｂを装着することが可能であり、１つの本体部２Ｂに複数の蓋部としての第１および第２蓋部３Ｂａ，３Ｂｂを装着することも可能である。
【００６１】
図１７から図１９は、第２変形例に係るプロテクター１Ｂの使用態様を模式的に示す正面図である。図１７で示されるように、本体部２Ｂに対して、第１蓋部３Ｂａおよび第２蓋部３Ｂｂの双方が装着される態様が考えられる。この場合、例えば、１つの本体部２Ｂに複数の蓋部３Ｂａ，３Ｂｂを装着することで内部空間２ｓが複数の空間２ｓａ，２Ｓｂに区切られ得る。そして、例えば、空間２ｓａにケーブル４ａが配され、空間２ｓｂにケーブル４ｂが配され得る。これにより、例えば、プロテクター１Ｂ内において配線の経路等を分割することが可能となる。また、図１８で示されるように、本体部２Ｂに対して、１つの蓋部としての第１蓋部３Ｂａが装着される態様が考えられる。この場合、例えば、ケーブル４ａ，４ｂよりも径が大きなケーブル４ｃが内部空間２ｓに配され得る。このため、例えば、ワイヤーハーネスのケーブルの径および本数等と言った車種等によって異なるワイヤーハーネスの構成に適用可能である。なお、図１９で示されるように、本体部２Ｂに対して、１つの蓋部としての第１蓋部３Ｂｂが装着される態様も実現され得る。この場合、比較的径が小さなケーブル４ｂが空間２ｓｂに配され得る。
【００６２】
＜(２−３)第３変形例＞
上記一実施形態では、蓋部３が、第１蓋体３１と第２蓋体３２とが屈曲部３３で単純に連結されたものであったが、これに限られない。例えば、第１蓋体３１のうちの屈曲部３３側の部分ならびに第２蓋体３２のうちの屈曲部３３側の部分に、屈曲部３３が屈曲可能な角度を制限するための突設部がそれぞれ設けられても良い。このような構成を有する一構成例を挙げて説明する。
【００６３】
図２０および図２１は、第３変形例に係る蓋部３Ｃの外観を示す図である。図２０は、第３変形例に係る蓋部３Ｃの外観を模式的に示す正面図であり、図２１は、第３変形例に係る蓋部３Ｃの外観を模式的に示す平面図である。
【００６４】
蓋部３Ｃは、上記一実施形態に係る蓋部３がベースとされて、屈曲部３３が、構成の異なる屈曲部３３Ｃに変更され、第１突設部Ｃ１ｄ、第２突設部Ｃ２ｄ、第３突設部Ｃ１ｕおよび第４突設部Ｃ２ｕが追加されたものである。
【００６５】
具体的には、例えば、図２０および図２１で示されるように、屈曲部３３Ｃが、第１蓋体３１および第２蓋体３２のうちの延在方向（ここではＹ方向）における略中央部分を避けて設けられている。第１突設部Ｃ１ｄは、例えば、第１蓋体３１の屈曲部３３側において該第１蓋体３１の裏面の仮想的な法線が伸びる方向（第１法線方向とも言う）に突設されている。第２突設部Ｃ２ｄは、例えば、第２蓋体３２の屈曲部３３側において該第２蓋体３２の裏面の仮想的な法線が伸びる方向（第２法線方向とも言う）に突設されている。このため、蓋部３Ｃが本体部２に嵌合されている状態では、第１突設部Ｃ１ｄが、第１蓋体３１の屈曲部３３側において底壁部２０に向けて突設されており、第２突設部Ｃ２ｄが、第２蓋体３２の屈曲部３３側において底壁部２０に向けて突設されている。そして、第１突設部Ｃ１ｄと第２突設部Ｃ２ｄとが±Ｘ方向において相互に対向している。
【００６６】
また、第３突設部Ｃ１ｕは、例えば、第１蓋体３１の屈曲部３３側において表面の仮想的な法線が伸びる方向（第３法線方向とも言う）に突設されている。第４突設部Ｃ２ｕは、例えば、第２蓋体３２の屈曲部３３側において表面の仮想的な法線が伸びる方向（第２法線方向とも言う）に突設されている。このため、蓋部３Ｃが本体部２に嵌合されている状態では、第３突設部Ｃ１ｕが、第１蓋体３１の屈曲部３３側において底壁部２０とは逆側に向けて突設されており、第４突設部Ｃ２ｕが、第２蓋体３２の屈曲部３３側において底壁部２０とは逆側に向けて突設されている。そして、第３突設部Ｃ１ｕと第４突設部Ｃ２ｕとが±Ｘ方向において相互に対向している。
【００６７】
なお、ここでは、第１〜４突設部Ｃ１ｄ，Ｃ２ｄ，Ｃ１ｕ，Ｃ２ｕが、第１および第２蓋体３１，３２のうちの延在方向（ここでは、Ｙ方向）における略中央部分に設けられたが、これに限られない。例えば、２以上の部分に、第１〜４突設部Ｃ１ｄ，Ｃ２ｄ，Ｃ１ｕ，Ｃ２ｕがそれぞれ設けられても良い。
【００６８】
図２２は、第３変形例に係る蓋部３Ｃの機能を説明するための図である。図２２で示されるように、例えば、蓋部３Ｃが上方向としての＋Ｚ方向に凸形状となって、第１凸部３１ｔと第２凸部３２ｔとが近づけられる方向に屈曲部３３が曲げられると、第１突設部Ｃ１ｄと第２突設部Ｃ２ｄとが当接する。別の観点から言えば、＋Ｙ方向に蓋部３Ｃを平面視した場合に、屈曲部３３を中心として、第１凸部３１ｔが時計回りに回転し、第２凸部３２ｔが反時計回りに回転するように、蓋部３が曲げられると、第１突設部Ｃ１ｄと第２突設部Ｃ２ｄとが当接する。これにより、屈曲部３３の屈曲が制限される。このため、例えば、本体部２に対して蓋部３Ｃが装着された状態で、内部空間２ｓ内に配されるケーブル４等によって蓋部３Ｃに力が加えられても、蓋部３Ｃの屈曲が第１および第２突設部Ｃ１ｄ，Ｃ２ｄどうしの当接によって規制される。その結果、本体部２から蓋部３Ｃが外れ難い。したがって、第１〜４突設部Ｃ１ｄ，Ｃ２ｄ，Ｃ１ｕ，Ｃ２ｕのうち、第１および第２突設部Ｃ１ｄ，Ｃ２ｄが設けられていれば、本体部２から蓋部３Ｃが外れ難い効果が得られる。
【００６９】
なお、例えば、蓋部３Ｃが屈曲されて、第１および第２突設部Ｃ１ｄ，Ｃ２ｄが相互に当接された状態で、予め設定された適度の力が加えられると、第１および第２突設部Ｃ１ｄ，Ｃ２ｄが若干撓むように構成されていれば、本体部２に蓋部３Ｃが装着され得る。
【００７０】
ところで、例えば、内部空間２ｓ内に配されるケーブル４等が少量であれば、蓋部３Ｃの上方から外力が付加されて、例えば、蓋部３Ｃが下方向としての−Ｚ方向に凸形状となる方向に屈曲部３３が曲げられる場合も想定される。このとき、例えば、第３突設部Ｃ１ｕと第４突設部Ｃ２ｕとが当接して、屈曲部３３の屈曲が制限され得る。このため、例えば、本体部２に対して蓋部３Ｃが装着された状態で、蓋部３Ｃに外力が加えられても、蓋部３Ｃの屈曲が第３および第４突設部Ｃ１ｕ，Ｃ２ｕどうしの当接によって規制される。その結果、本体部２から蓋部３Ｃが外れ難い。したがって、第１〜４突設部Ｃ１ｄ，Ｃ２ｄ，Ｃ１ｕ，Ｃ２ｕのうち、第１突設部Ｃ１ｄと第２突設部Ｃ２ｄとの組および第３突設部Ｃ１ｕと第４突設部Ｃ２ｕとの組のうちの少なくとも一方の突設部の組が設けられていれば、本体部２から蓋部３Ｃが外れ難い。
【００７１】
＜(２−４)第４変形例＞
上記一実施形態では、第１側壁部２１に第１孔部２１ｈが設けられ、第２側壁部２２に第２孔部２２ｈが設けられ、蓋部３に第１および第２凸部３１ｔ，３２ｔが設けられていたが、これに限られない。第１側壁部２１および第２側壁部２２のうちの少なくとも１つの側壁部が、内部空間２ｓに面した内壁面から外壁面に向けて設けられた１以上の孔部を有していても良い。このとき、蓋部３が、１以上の孔部に嵌合する１以上の凸部を有し、該１以上の凸部を１以上の孔部に嵌合させることで開口部２ｏを閉じて、ワイヤーハーネス１００が形成されるような構成が採用されても良い。このような構成を有する一構成例を挙げて説明する。
【００７２】
図２３および図２４は、第４変形例に係るプロテクター１Ｄの外観を示す図である。図２３は、第４変形例に係るプロテクター１Ｄの外観を模式的に示す正面図であり、図２４は、第４変形例に係るプロテクター１Ｄにおいて蓋部３Ｄが閉められる様子を模式的に示す正面図である。
【００７３】
プロテクター１Ｄは、上記一実施形態に係るプロテクター１がベースとされて、本体部２が本体部２Ｄに変更され、蓋部３が蓋部３Ｄに変更されたものである。
【００７４】
本体部２Ｄは、上記一実施形態に係る本体部２がベースとされて、第２側壁部２２が、第２側壁部２２Ｄに変更されたものである。第２側壁部２２Ｄは、上記一実施形態に係る第２側壁部２２から第２孔部２２ｈが除かれたものである。つまり、第１側壁部２１と第２側壁部２２Ｄのうちの少なくとも１つの側壁部としての第１側壁部２１に、１以上の孔部としての第１孔部２１ｈが設けられている。
【００７５】
また、蓋部３Ｄは、上記一実施形態に係る蓋部３がベースとされて、第２蓋体３２が、幅が若干狭められた第２蓋体３２Ｄに変更され、第２蓋体３２Ｄと第２側壁部２２Ｄとを連結するヒンジ部３４Ｄが設けられたものである。つまり、蓋部３Ｄが、第２側壁部２２Ｄにヒンジ部３４Ｄを介して連結されており、第１側壁部２１の第１孔部２１ｈに嵌合する第１凸部３１ｔを有している。そして、第１凸部３１ｔが第１孔部２１ｈに嵌合されることで、蓋部３Ｄによって本体部２の開口部２ｏが閉じられる。これにより、蓋部３Ｄと本体部２Ｄとがヒンジ部で連結されている場合に、蓋部３Ｄで開口部２ｏを閉じる作業が容易となり得る。
【００７６】
ここで、ヒンジ部３４Ｄとしては、例えば、屈曲部３３と同様に、例えば、第１および第２蓋体３１，３２Ｄと一体的に構成され、該第１および第２蓋体３１，３２Ｄよりも厚さが薄く、比較的小さな力で屈曲し得るものが採用され得る。より具体的には、ヒンジ部３４Ｄには、樹脂または金属等で構成される弾性部材、あるいは蝶番等の機械的な構造によって屈曲するヒンジ部等が採用され得る。ここで、例えば、ヒンジ部３４Ｄとして、弾性部材が採用されれば、ヒンジ部３４Ｄが屈曲した状態から、屈曲していない状態に容易に戻り得る。これにより、蓋部３Ｄによって本体部２の開口部２ｏを閉じる作業が容易となり得る。
【００７７】
＜(２−５)第５変形例＞
上記第２変形例では、本体部２Ｂに対して、該本体部２Ｂとは別体の複数の蓋部としての第１および第２蓋部３Ｂａ，３Ｂｂが装着可能であったが、これに限られない。例えば、複数の蓋部のうちの一部の蓋部が本体部２Ｂに対してヒンジ部を介して連結されていても良い。別の観点から言えば、例えば、少なくとも１つの側壁部が、底壁部２０からの距離が相互に異なり、且つ内壁面から外壁面に向けてそれぞれ設けられた複数の孔部を有していても良い。このような構成が採用されても、上記第２変形例と同様な効果が得られる。このような構成を有する一構成例を挙げて説明する。
【００７８】
図２５は、第５変形例に係るプロテクター１Ｅの外観を示す正面図である。プロテクター１Ｅは、第２変形例に係るプロテクター１Ｂがベースとされて、本体部２Ｂが本体部２Ｅに変更され、第１蓋部３Ｂａが、第４変形例に係る蓋部３Ｄと同様な構成を有する第１蓋部３Ｅに置換されたものである。本体部２Ｅは、上記第２変形例に係る本体部２Ｂがベースとされて、第２側壁部２２Ｂが第２側壁部２２Ｅに変更されたものである。なお、第１蓋部３Ｅは、第４変形例に係る蓋部３Ｄがベースとされて、第１凸部３１ｔが第１凸部３１ｔａに形式的に変更されたものである。第２側壁部２２Ｅは、第２変形例に係る第２側壁部２２Ｂがベースとされて、第２孔部２２ｈａが除かれたものである。
【００７９】
具体的には、第１側壁部２１Ｂが、複数の第１孔部２１ｈａ，２１ｈｂを有し、第２側壁部２２Ｅが、内部空間２ｓに面した内壁面から外壁面に向けて設けられた第２孔部２２ｈｂを有している。つまり、本体部２Ｅに設けられた１以上の孔部には、複数の第１孔部２１ｈａ，２１ｈｂおよび第２孔部２２ｈが含まれる。そして、第１蓋部３Ｄが、第２側壁部２２Ｅに対してヒンジ部３４Ｄを介して連結しており、且つ複数の孔部としての第１孔部２１ｈａ，２１ｈｂのうちの１つ目の第１孔部２１ｈａに嵌合する第１凸部３１ｔａを有している。また、第２蓋部３Ｂｄが、本体部２Ｅとは別体であり、且つ複数の第１孔部２１ｈａ，２１ｈｂのうちの２つ目の第１孔部２１ｈｂに嵌合する第１凸部３１ｔｂおよび第２側壁部２２Ｅの第２孔部２２ｈｂに嵌合する第２凸部３２ｔｂを有している。
【００８０】
＜(２−６)その他の変形例＞
例えば、上記一実施形態では、底壁部２０と、第１および第２側壁部２１，２２とがそれぞれ連結されている２つの部分が、略直角の角部によって構成されていたが、これに限られない。例えば、これらの角部のうちの少なくとも一方の角部が曲面状の角部であっても良い。そして、例えば、底壁部２０と、第１および第２側壁部２１，２２とが、連続的な曲面状の盤面を有する１つの板状の部材で構成されても良い。
【００８１】
また、上記一実施形態では、蓋部３が、第１蓋体３１と第２蓋体３２とが屈曲部３３で連結されていたが、これに限られない。例えば、３以上の蓋体が屈曲部で連結されることで蓋部が形成されても良い。
【００８２】
なお、上記一実施形態および各種変形例をそれぞれ構成する全部または一部を、適宜、矛盾しない範囲で組み合わせ可能であることは、言うまでもない。
【００８３】
以上のように、この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８４】
１，１Ａ，１Ｂ，１Ｄ，１Ｅ  プロテクター（ワイヤーハーネス用プロテクター）
２，２Ａ，２Ｂ，２Ｄ，２Ｅ  本体部
２ｏ  開口部
２ｓ  内部空間
２ｓａ，２Ｓｂ  空間
３，３Ｃ〜３Ｅ  蓋部
３Ｂａ，３Ｂｂ  第１，２蓋部
２０，２０Ａ  底壁部
２１，２１Ａ，２１Ｂ  第１側壁部
２１ｈ，２１ｈａ，２１ｈｂ  第１孔部
２１ｈｅ，２２ｈｅ  縁部
２１ｒ，２２ｒ  第１，２突起部
２２，２２Ａ，２２Ｂ，２２Ｄ，２２Ｅ  第２側壁部
２２ｈ，２２ｈａ，２２ｈｂ  第２孔部
３１  第１蓋体
３１ｔ，３１ｔａ，３１ｔｂ  第１凸部
３２，３２Ｄ  第２蓋体
３２ｔ，３２ｔａ，３２ｔｂ  第２凸部
３３，３３Ｃ  屈曲部
３４Ｄ  ヒンジ部
１００  ワイヤーハーネス
Ｃ１ｄ，Ｃ２ｄ，Ｃ１ｕ，Ｃ２ｕ  第１〜４突設部 
【図１】
2016059156.tif 000003
【図２】
2016059156.tif 000004
【図３】
2016059156.tif 000005
【図４】
2016059156.tif 000006
【図５】
2016059156.tif 000007
【図６】
2016059156.tif 000008
【図７】
2016059156.tif 000009
【図８】
2016059156.tif 000010
【図９】
2016059156.tif 000011
【図１０】
2016059156.tif 000012
【図１１】
2016059156.tif 000013
【図１２】
2016059156.tif 000014
【図１３】
2016059156.tif 000015
【図１４】
2016059156.tif 000016
【図１５】
2016059156.tif 000017
【図１６】
2016059156.tif 000018
【図１７】
2016059156.tif 000019
【図１８】
2016059156.tif 000020
【図１９】
2016059156.tif 000021
【図２０】
2016059156.tif 000022
【図２１】
2016059156.tif 000023
【図２２】
2016059156.tif 000024
【図２３】
2016059156.tif 000025
【図２４】
2016059156.tif 000026
【図２５】
2016059156.tif 000027